(57)【要約】【課題】ユーザがＣＣＤなどの固体撮像素子の表面（フィルターなど）をクリーニングする際、ＡＣ電源が存在しない場所にいる場合でも安全にＣＣＤなどの撮像素子面のクリーニングを可能にするディジタル一眼レフカメラのクリーニング機構を提供する。【解決手段】押すことによりプッシュボタン５ａは、押し込んだ位置でロックされクリーニングロックレバー６が回転し、ミラースタートレバーが回転してミラーアップになり、後幕スタートレバー８が後幕保持マグネット１０の着磁面１２にホールドされる。この状態で先幕を走行させるとシャッタは開いた状態に保持される。固体撮像素子の表面をクリーニングした後、再度プッシュボタン５ａを押すことにより、ロックが解除され、後幕駆動レバーが回転するため後幕が走行しシャッタが閉じる。そしてチャージ機構が作動し、元の状態に復帰する。【選択図】　　　　図２
2004032249.tif 000002
【特許請求の範囲】
【請求項１】
専用ボタンにより、またはメカレリーズの先端突出により作動させられるクリーニング作動手段と、
後幕をホールドし、走行させる後幕ホールド手段の解除の動きを阻止する解除阻止手段とを有し、
クリーニングモードが設定された場合、前記専用ボタンまたはメカレリーズの操作により前記クリーニング作動手段を作動させてメインミラーをミラーアップさせ、前記解除阻止手段により後幕ホールド手段の動きを阻止するとともに緊定解除レバーを押すことにより前記先幕のみを走行させてシャッタ開状態を形成維持し、
固体撮像素子の表面近傍のクリーニング後、前記専用ボタンまたはメカレリーズの操作保持を解除することにより前記後幕を走行させてシャッタを閉じるように構成したことを特徴とするディジタル一眼レフカメラのクリーニング機構。
【請求項２】
前記専用ボタンは、ワンプッシュでロック状態となり、つぎのワンプッシュで前記ロックを解放するように構成したことを特徴とする請求項１記載のディジタル一眼レフカメラのクリーニング機構。
【請求項３】
前記専用ボタンは、クリーニングモードが設定された場合にのみ作動し、前記専用ボタンの操作により電磁的アクチェータを作動させて前記レバーＡを回転させることを特徴とする請求項１記載のディジタル一眼レフカメラのクリーニング機構。
【請求項４】
前記クリーニング作動手段と解除阻止手段とは一体に構成し、クリーニングロックレバーとすることを特徴とする請求項１記載のディジタル一眼レフカメラのクリーニング機構。
【発明の詳細な説明】
【０００１】
【発明の属する技術分野】
本発明は、メカの力などによってミラーアップしシャッタ開を保持するディジタル一眼レフカメラのクリーニング機構に関する。
【０００２】
【従来の技術】
ディジタル一眼レフカメラでは、ＣＣＤ撮像素子面にゴミなどが付着した場合、放置しておくと、一駒だけでなく後の駒にも同じゴミが写ってしまう可能が高い。
そこで、クリーニングモードやバルブにしてメインミラーをアップさせ先幕を開いた状態でＣＣＤ撮像素子を掃除することが行われる。しかしながら後幕は電池駆動で走行されるため、クリーニング中に電池が消耗して電圧が降下した場合には、後幕が走行し、シャッタを破損してしまうこととなる。
そこで、ＡＣアダプタ電源などの外部電源を用い、電気動作によりミラーアップ，シャッタ開動作を行うクリーニングモードが提案されている。これによれば、クリーニング中に電圧降下により後幕が走行する事故は解消できる。
【０００３】
【発明が解決しようとする課題】
しかしながら、撮影中などにＣＣＤ撮像素子面のよごれなどを発見した場合、野外やＡＣ電源のない場所にいたときには、クリーニングができない。
本発明の目的はユーザがＣＣＤなどの固体撮像素子の表面（フィルターなど）をクリーニングする際、メカバルブまたは専用ボタンを用いて、メカ的にシャッタを開け、ミラーをアップさせることにより、いずれの場所にいる場合でも安全にＣＣＤ撮像素子面のクリーニングが可能なディジタル一眼レフカメラのクリーニング機構を提供することにある。
【０００４】
【課題を解決するための手段】
前記目的を達成するために本発明によるディジタル一眼レフカメラのクリーニング機構は、専用ボタンにより、またはメカレリーズの先端突出により作動させられるクリーニング作動手段と、後幕をホールドし、走行させる後幕ホールド手段の解除の動きを阻止する解除阻止手段とを有し、クリーニングモードが設定された場合、前記専用ボタンまたはメカレリーズの操作により前記クリーニング作動手段を作動させてメインミラーをミラーアップさせ、前記解除阻止手段により後幕ホールド手段の動きを阻止するとともに緊定解除レバーを押すことにより前記先幕のみを走行させてシャッタ開状態を形成維持し、固体撮像素子の表面近傍のクリーニング後、前記専用ボタンまたはメカレリーズの操作保持を解除することにより前記後幕を走行させてシャッタを閉じるように構成されている。
前記専用ボタンは、ワンプッシュでロック状態となり、つぎのワンプッシュで前記ロックを解放するように構成できる。
前記専用ボタンは、クリーニングモードが設定された場合にのみ作動し、前記専用ボタンの操作により電磁的アクチェータを作動させて前記レバーＡを回転させるように構成できる。
前記クリーニング作動手段と解除阻止手段とは一体に構成し、クリーニングロックレバーとして構成できる。
【０００５】
【作用】
上記構成によれば、野外やＡＣアダプターを使えない場所でも、ＣＣＤなどの固体撮影素子の表面（フィルター面）のクリーニングを安全に行うことができる。
【０００６】
【発明の実施の形態】
以下、図面を参照して本発明の実施の形態を詳しく説明する。
図１は、本発明によるクリーニング機構を採用したディジタル一眼レフカメラの外観の概略図で、（ａ）は前面斜視図，（ｂ）は背面図である。
本図（ａ）は交換レンズを外し、メインミラー３がダウンしている状態を示している。レンズマウント４の側面下部にクリーニング用プッシュボタン５が設置されている。クリーニング用プッシュボタン５はワンプッシュでロック状態となり、さらにワンプッシュでロック状態が解除される機構となっている。
【０００７】
カメラ背面の左寄りには液晶モニタ１８およびカメラの状態を示す状態表示部２０が配置されている。背面略中央にクリーニングモードを選択するためのモードダイヤル１９が配置されている。モードダイヤル１９では、クリーニングモード以外にカメラ撮影モード，再生モード，カスタムモード，セットアップモード，パソコンモードを選択することができる。例えば、カメラ撮影モード等になっている状態で、本発明によるクリーニングモードを選択する場合、モードロックボタン１９ｂを押してロック状態を解除する。そして、モードロックボタン１９ｂを押した状態で、モードダイヤル１９を回転させ指標１９ａにクリーニングモードのポジションを位置付けモードロックボタン１９ｂを離すことによりクリーニングモードが設定される。
【０００８】
図２は、クリーニング機構の詳細を説明するための斜視図である。図３Ａは図２の正面図，図３Ｂは図２の平面図，図３Ｃは図２の左側面図である。図４Ａは、ミラーボックスのミラーアップダウン機構を示す斜視図で、レリーズ待ち状態を、図４Ｂはマグネット通電状態を、図４Ｃはミラーアップ状態を、図４Ｄは手動でミラーを上げた状態をそれぞれ示している。
図２〜図４Ｃを用いてミラーアップダウン機構，シャッタユニット機構およびこれら機構に係合するクリーニング機構を説明する。
【０００９】
（ミラーアップダウン機構）
図４Ａは、メインミラーを保持するメインミラー枠１４およびメインミラー枠１４に支持されたＡＦミラー枠１７がダウンした状態であり、そのサイドにマグネット部２２が設置され、軸２３ａを中心に回動可能なマグネットレバー２３の一端が吸着された状態である。マグネットレバー２３の他端は、軸７ａを中心に回動可能なミラースタートレバー７の一端を係止している。ミラースタートレバー７のフック部７ｂは、軸１６ａを中心に回動可能なミラーアップ回転レバー１６の一端１６ｂを係止した状態である。
この状態はレリーズ待ち状態であり、メインミラーはダウン状態，マグネットは吸着状態，フック部７ｂは係止状態である。
【００１０】
ミラーアップのためマグネット部２２を通電状態にすると、通電により反発しマグネットは離反し、マグネットレバー２３が回転し、ミラースタートレバー７が時計方向に回転する。ミラースタートレバー７のフック部７ｂはミラーアップ回転レバー１６の一端１６ｂから離れ、係止は解除状態となる（図４Ｂ）。
これによりミラーアップ回転レバー１６は時計方向に回転し、ミラーアップダウンレバー１５はメインミラー枠１４とＡＦミラー枠１７をアップさせる（図４Ｃ）。この状態はメインミラーがアップ状態であって、マグネット部２２が吸着状態であり、メインミラーダウンしたときフック部に係止可能となる。
（シャッタユニット機構）
シャッタユニット機構が起動し、シャッターＭｇに通電され、先幕と後幕のホールドがなされた後、レリーズが外され、先幕が走り、適当なタイミングで後幕のマグネットがオフしてシャッタを閉じる。そしてメインミラーがダウンし、ミラーアップ回転レバー１６の一端１６ｂがミラースタートレバー７のフック部７ｂに係止した状態に戻る。
以上は通常のシーケンスである。
図４Ｄに手動でミラーを上げた状態を示してある。マグネット部は吸着状態であり、フック部は係止状態である。
【００１１】
（クリーニング機構）
図２，図３Ａ〜図３Ｄにおいて、クリーニングロックレバー６は軸６ａを中心に回動可能であり、６ｂ方向に付勢されている。
このクリーニングロックレバー６は、請求項１に記載するクリーニング作動手段と解除阻止手段の機能を一体にしたものであり、一端６ｃは、クリーニング用プッシュボタン５の先端に押し当てられている。他端６ｂはミラースタートレバー７の一端７ｄに突き当たっている。さらに他の一端６ｅは後幕スタートレバー８の一端８ｃに対面した状態となっている。ミラースタートレバー７は、図４Ａ〜図４Ｄに示すようにミラーアップダウン機構に係合しており、７ｃに示す方向に付勢されている。
【００１２】
後幕スタートレバー８，後幕駆動レバー９および後幕保持マグネット１０はシャッタ機構の一部として組み込まれているものである。後幕スタートレバー８は、軸８ａを中心に回動可能であり、他端８ｄは後幕保持マグネット１０の着磁面１２に対面している。後幕スタートレバー８は８ｂ方向に付勢されており、後幕保持マグネット１０の励磁により他端８ｄは着磁面１２に吸着される。後幕駆動レバー９は軸９ａを回動可能であり、９ｂ方向に付勢され、一端９ｃが後幕スタートレバー８の一端８ｃ側の側部に突き当たった状態となっている。
後幕保持マグネット１０を適当なタイミングでオフすると、後幕スタートマグネットレバー８は付勢力８ｂにより反時計方向に回転し、後幕駆動レバー９も付勢力９ｂにより反時計方向に回転し、図示しない後幕が走りシャッタが閉じることとなる。
【００１３】
図５は、本発明によるクリーニング機構の回路動作を説明するための回路図である。本回路は本発明に直接関係する部分のみを記載し、他の回路部は省略してある。
モードダイヤル１９がクリーニングモードに設定されると、システムＣＰＵ３０はその情報をカメラＣＰＵ２５に送信する。カメラＣＰＵ２５はモータ駆動回路２７を制御し、シャッタチャージ回路２８によりクリーニングモード時のミラーの復帰動作，シャッタのチャージ動作制御を行う。また、シャッタ制御回路２９を制御してクリーニングモード時のシャッタ動作の制御を行う。
【００１４】
図６は、本発明によるクリーニング動作を説明するためのフローチャートである。
まず、メカプッシュ式クリーニング方式について説明する。
システムＣＰＵ３０はモードダイヤル１９が操作されてクリーニングモードに設定されているか否か判定する（ステップ（以下「Ｓ」という）６０１）。他のモードの場合には、そのモードの動作となる（Ｓ６０８）
クリーニングモードに設定されている場合にクリーニング用プッシュボタン５が押される（Ｓ６０２）と、押し込んだ位置でロック状態となり、クリーニングロックレバー６が回転し、ミラースタートレバー７が回転しそのフック部７ｂによるミラーアップ回転レバー１６の係止を解除する。これによりミラーアップ回転レバー１６は回転しメインミラーはアップ状態となる。同時に後幕スタートレバー８の一端８ｃを押すため他端８ｂが着磁面に押しつけられた状態で後幕スタートレバー８はホールドされる。
【００１５】
そして、ミラーアップ回転レバー１６に連動したシャッタレリーズロックを外すＳＲレバー（図示してない緊定解除レバー）が回転し、シャッタレリーズロックを解放する。これにより先幕が走行し、シャッタが開いた状態となる。
この状態はミラーアップ，先幕開，後幕固定状態となり、ＣＣＤ撮像素子付近のクリーニングが可能となる（Ｓ６０３）。
クリーニングが終了すると、再度クリーニング用プッシュボタン５を押す（Ｓ６０３）。プッシュボタン５はロック状態が解除され、クリーニングロックレバー６は付勢方向に回転するため、後幕スタートレバー８は解放され付勢方向に回転し、後幕駆動レバー９も回転し後幕が走行する（Ｓ６０５）。そしてチャージモータが回転し（Ｓ６０６）、ミラーダウンするとともにシャッタチャージが行われ復帰動作が完了する（Ｓ６０７）。
【００１６】
なお、通常動作（撮影動作）中に、クリーニング用プッシュボタン５が押されると、不具合が発生する。そこで、プッシュボタン５にロック機構を付けるか、蓋などを設けることで対処することができる。また、押しにくい形状にしても良い。
【００１７】
つぎにＳＷ式クリーニング方式について説明する。
この方式はプッシュボタンの押圧力でクリーニングロックレバーを回転させるのではなく、プッシュボタンの操作によってカメラのモードがクリーニングモードの時だけ作動するようなプログラムを起動するようにしたものである。
したがって、この方式ではプッシュボタンは、押されることによってその先端に設けられている接点がオンし、オン信号がシステムＣＰＵ３０に送られ、上記プログラムが立ち上がる。
【００１８】
クリーニングロックレバーは電気的アクチェータ（ソレノイドプランジュー，ステッピングモータ等）によって回転させられるように構成されている。
よってプッシュボタンの操作によって電気的アクチェータは作動しクリーニングロックレバーは回転させられる。
以下の動作はメカプッシュ式クリーニング方式と同じであり、Ｓ６０１以降の動作となる。
【００１９】
以上の実施の形態は、カメラ外装に専用ボタンを設けた例を示したが、メカレリーズの先端突出によりクリーニングロックレバーを回転させるようにしても良い。
【００２０】
【発明の効果】
以上、説明したように本発明は、専用ボタンにより、またはメカレリーズの先端突出により作動させられるクリーニング作動手段と、後幕をホールドし、走行させる後幕ホールド手段の解除の動きを阻止する解除阻止手段とを有し、クリーニングモードが設定された場合、前記専用ボタンまたはメカレリーズの操作により前記クリーニング作動手段を作動させてメインミラーをミラーアップさせ、前記解除阻止手段により後幕ホールド手段の動きを阻止するとともに緊定解除レバーを押すことにより前記先幕のみを走行させてシャッタ開状態を形成維持し、固体撮像素子の表面近傍のクリーニング後、前記専用ボタンまたはメカレリーズの操作保持を解除することにより前記後幕を走行させてシャッタを閉じるものである。
したがって、野外や電源のない条件下でもディジタルカメラの固体撮像素子の周辺（フィルタ面も含む）付近のクリーニングを安全に行うことができるという効果がある。
【図面の簡単な説明】
【図１】本発明によるクリーニング機構を採用したディジタル一眼レフカメラの外観の概略図で、（ａ）は前面斜視図，（ｂ）は背面図である。
【図２】クリーニング機構の詳細を説明するための斜視図である。
【図３Ａ】図２の正面図である。
【図３Ｂ】図２の平面図である。
【図３Ｃ】図２の左側面図である。
【図４Ａ】ミラーボックスのミラーアップダウン機構を示す斜視図で、レリーズ待ち状態を示す図である。
【図４Ｂ】ミラーボックスのミラーアップダウン機構を示す斜視図で、マグネット通電状態を示す図である。
【図４Ｃ】ミラーボックスのミラーアップダウン機構を示す斜視図で、ミラーアップ状態を示す図である。
【図４Ｄ】ミラーボックスのミラーアップダウン機構を示す斜視図で、手動でミラーを上げた状態を示す図である。
【図５】本発明によるクリーニング機構の回路動作を説明するための回路図である。
【図６】本発明によるクリーニング動作を説明するためのフローチャートである。
【符号の説明】
１　ディジタルカメラ
３　メインミラー
４　レンズマウント
５　クニーニング用プッシュボタン
６　クリーニングロックレバー
７　ミラースタートレバー
８　後幕スタートレバー
９　後幕駆動レバー
１０　後幕保持マグネット
１１　シャッタユニット
１２　着磁面
１３　開口面
１４　メインミラー枠
１５　ミラーアップダウンレバー
１６　ミラーアップ回転レバー
１７　ＡＦミラー枠
１８　液晶モニタ
１９　モードダイヤル
２０　状態表示部
２１　ファインダ
２２　マグネット部
２３　マグネットレバー
【図１】
2004032249.tif 000003
【図２】
2004032249.tif 000004
【図３Ａ】
2004032249.tif 000005
【図３Ｂ】
2004032249.tif 000006
【図３Ｃ】
2004032249.tif 000007
【図４Ａ】
2004032249.tif 000008
【図４Ｂ】
2004032249.tif 000009
【図４Ｃ】
2004032249.tif 000010
【図４Ｄ】
2004032249.tif 000011
【図５】
2004032249.tif 000012
【図６】
2004032249.tif 000013